(57)【要約】【課題】各店舗に設置された端末装置の仕様の変更や多種多様な取引への対応を低コストで行う。【解決手段】端末装置（ＥＣＲ２０Ａ及び電子決済端末３０Ａ）は、自装置が有する機能に係る設定情報の配信要求をサーバ装置（情報センタサーバ１０）に送信し、サーバ装置が送信する設定情報を受信して、この受信された設定情報に基づいて自装置が有する機能の動作を制御する。サーバ装置は、端末装置毎の設定情報を記憶しており、端末装置から送信された設定情報の配信要求を受信し、記憶された端末装置毎の設定情報から送信元の端末装置の設定情報を検索し、この検索された設定情報を送信元の端末装置に送信する。【選択図】図１
2009059068.tif 000002
【特許請求の範囲】
【請求項１】
サーバ装置と各店舗に設置された端末装置とが互いに通信可能に接続されたネットワークシステムにおいて、
前記端末装置は、
自装置が有する機能に係る設定情報の配信要求を前記サーバ装置に送信する送信手段と、
前記サーバ装置が送信する設定情報を受信する受信手段と、
前記受信手段により受信された設定情報に基づいて自装置が有する機能の動作を制御する制御手段と、
を備え、
前記サーバ装置は、
端末装置毎の設定情報を記憶する記憶手段と、
前記端末装置から送信された配信要求を受信する受信手段と、
この受信された配信要求の送信元の端末装置の設定情報を前記記憶手段から検索する検索手段と、
前記検索された設定情報を前記送信元の端末装置に送信する送信手段と、
を備えるネットワークシステム。
【請求項２】
前記端末装置の制御手段は、前記受信手段により受信された設定情報に基づいて、決済に関する決済データの前記サーバ装置との送受信を制御する請求項１に記載のネットワークシステム。
【請求項３】
前記端末装置の制御手段は、前記受信手段により受信された設定情報に基づいて、売上に関する売上データの前記サーバ装置との送受信を制御する請求項１又は２に記載のネットワークシステム。
【請求項４】
前記端末装置の送信手段は、前記配信要求を送信する際に自装置の認証に係る認証情報を前記サーバ装置に送信し、
前記サーバ装置の記憶手段は、端末装置毎の認証情報を予め記憶し、
前記サーバ装置の受信手段は、前記端末装置から送信された認証情報を受信し、
前記サーバ装置の検索手段は、前記記憶手段に予め記憶された前記送信元の端末装置の認証情報を検索し、
前記サーバ装置の送信手段は、前記検索された認証情報と前記受信された認証情報との照合結果に基づいて前記検索された設定情報を前記送信元の端末装置に送信する請求項１〜３のいずれか一項に記載のネットワークシステム。
【請求項５】
前記端末装置は、自装置のいずれかの機能の動作指示を行う指示手段を更に備え、
前記端末装置の送信手段は、前記指示手段により動作指示された機能に係る設定情報の配信要求を前記サーバ装置に送信し、
前記端末装置の制御手段は、前記受信手段により受信された設定情報に基づいて前記指示手段により動作指示された機能の動作を制御する請求項１〜４のいずれか一項に記載のネットワークシステム。
【発明の詳細な説明】
【技術分野】
【０００１】
本発明は、ネットワークシステムに関する。
【背景技術】
【０００２】
近年、各店舗に設置されたＰＯＳ（Point Of Sale）端末を、専用回線等のネットワークを介してサーバ装置に接続し、各店舗での売上データをサーバ装置で収集することで、当該サーバ装置で店舗管理や売上管理が可能な店舗管理システムが知られている（例えば、特許文献１参照）。
【特許文献１】特開２００２−３５８３７８号公報
【発明の開示】
【発明が解決しようとする課題】
【０００３】
しかしながら、上記従来技術では、各店舗に設置された端末装置における電子決済の可否や磁気カード決済の可否などの取引に関する仕様は、自装置に記憶されたアプリケーションプログラムによる装置固有のものである。よって、各店舗における端末装置の取引に関する仕様を変更するには、自装置内に記憶されているアプリケーションプログラムの書き換えを店舗ごとに行う必要があった。また、端末装置で多種多様な業種や個々のユーザからの要望に対応した取引サービスを実現するためには、多くのアプリケーションプログラムを作成し、管理する必要があった。これらアプリケーションプログラムの作成や店舗ごとの書き換えには多くの運用コストがかかっていた。
【０００４】
本発明の課題は、各店舗に設置された端末装置の仕様の変更や多種多様な取引への対応を低コストで行うネットワークシステムを提供することである。
【課題を解決するための手段】
【０００５】
上記課題を解決するために、請求項１に記載の発明は、サーバ装置と各店舗に設置された端末装置とが互いに通信可能に接続されたネットワークシステムにおいて、
前記端末装置は、
自装置が有する機能に係る設定情報の配信要求を前記サーバ装置に送信する送信手段と、
前記サーバ装置が送信する設定情報を受信する受信手段と、
前記受信手段により受信された設定情報に基づいて自装置が有する機能の動作を制御する制御手段と、
を備え、
前記サーバ装置は、
端末装置毎の設定情報を記憶する記憶手段と、
前記端末装置から送信された配信要求を受信する受信手段と、
この受信された配信要求の送信元の端末装置の設定情報を前記記憶手段から検索する検索手段と、
前記検索された設定情報を前記送信元の端末装置に送信する送信手段と、
を備える。
【０００６】
請求項２に記載の発明は、請求項１に記載の発明において、前記端末装置の制御手段は、前記受信手段により受信された設定情報に基づいて、決済に関する決済データの前記サーバ装置との送受信を制御する。
【０００７】
請求項３に記載の発明は、請求項１又は２に記載の発明において、前記端末装置の制御手段は、前記受信手段により受信された設定情報に基づいて、売上に関する売上データの前記サーバ装置との送受信を制御する。
【０００８】
請求項４に記載の発明は、請求項１〜３のいずれか一項に記載の発明において、前記端末装置の送信手段は、前記配信要求を送信する際に自装置の認証に係る認証情報を前記サーバ装置に送信し、
前記サーバ装置の記憶手段は、端末装置毎の認証情報を予め記憶し、
前記サーバ装置の受信手段は、前記端末装置から送信された認証情報を受信し、
前記サーバ装置の検索手段は、前記記憶手段に予め記憶された前記送信元の端末装置の認証情報を検索し、
前記サーバ装置の送信手段は、前記検索された認証情報と前記受信された認証情報との照合結果に基づいて前記検索された設定情報を前記送信元の端末装置に送信する。
【０００９】
請求項５に記載の発明は、請求項１〜４のいずれか一項に記載の発明において、前記端末装置は、自装置のいずれかの機能の動作指示を行う指示手段を更に備え、
前記端末装置の送信手段は、前記指示手段により動作指示された機能に係る設定情報の配信要求を前記サーバ装置に送信し、
前記端末装置の制御手段は、前記受信手段により受信された設定情報に基づいて前記指示手段により動作指示された機能の動作を制御する。
【発明の効果】
【００１０】
本発明によれば、各店舗に設置された端末装置の仕様の変更や多種多様な取引への対応を低コストで行うことができる。
【発明を実施するための最良の形態】
【００１１】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１２】
先ず、本実施の形態の装置構成を説明する。図１に示すように、ネットワークシステム１は、サーバ装置としての情報センタサーバ１０と、端末装置としてのＥＣＲ（Electronic Cash Resister：電子式金銭登録機）２０Ａ、２０Ｂ、２０Ｃ…及びそれら各々に接続する電子決済端末３０Ａ、３０Ｂ、３０Ｃ…と、決済センタサーバ５０と、カード会社サーバ６０と、を備えて構成される。情報センタサーバ１０は、通信ネットワークＮを介してＥＣＲ２０Ａ、２０Ｂ、２０Ｃ…と通信可能に接続されている。決済センタサーバ５０は、情報センタサーバ１０及びカード会社サーバ６０と通信可能に接続されている。
【００１３】
ＥＣＲ２０Ａ、電子決済端末３０Ａは、第１のオーナーが経営する会社の第１の店舗に所属するものとする。ＥＣＲ２０Ｂ、電子決済端末３０Ｂは、第１のオーナーとは別の第２のオーナーが経営する会社の第２の店舗に所属するものとする。ＥＣＲ２０Ｃ、電子決済端末３０Ｃは、第１、２のオーナーとは別の第３のオーナーが経営する第３の店舗に所属するものとする。
【００１４】
また、ＥＣＲ２０Ａ、電子決済端末３０Ａが、第１の店舗に設置されているものとする。また、ＥＣＲ２０Ｂ、電子決済端末３０Ｂが、第２の店舗に設置されているものとする。また、ＥＣＲ２０Ｃ、電子決済端末３０Ｃが、第３の店舗に設置されているものとする。すなわち、情報センタサーバ１０と通信可能に接続する端末装置は各店舗に設置される。なお、オーナー数、一人のオーナーが経営する店舗数、店舗に設置されるＥＣＲ及び電子決済端末の台数などについては図１の例に限定されない。
【００１５】
ＥＣＲ２０Ａ、２０Ｂ、２０Ｃ…は、各店舗の売上データ処理を行う。ＥＣＲ２０Ａ、２０Ｂ、２０Ｃ…は、売上データ処理で入力された売上データを保存するとともに、例えば１日の営業時間終了ごとに情報センタサーバ１０に当該売上データを送信する。
【００１６】
電子決済端末３０Ａ、３０Ｂ、３０Ｃ…は、それぞれＥＣＲ２０Ａ、３０Ｂ、３０Ｃ…と通信可能に接続されている。電子決済端末３０Ａ、３０Ｂ、３０Ｃ…は、後述する顧客のクレジットカード又は携帯電話機などからカード情報を読み取り、そのカード情報を含む決済データ及び決済承認要求をカード会社サーバ６０宛に送信する。クレジットカードとしては、磁気ストライプ（ＭＳ：Magnetic Stripe）を有する磁気カード、ＩＣ（Integrated  Circuit）チップを有するＩＣカード等の接触式又は非接触式に通信を行うカードである。携帯電話機は、例えば、非接触式に通信を行う機能を有する。
【００１７】
上述したＥＣＲ２０Ａとそれに接続する電子決済端末３０Ａの組み合わせ、ＥＣＲ２０Ｂとそれに接続する電子決済端末３０Ｂの組み合わせ、ＥＣＲ２０Ｃとそれに接続する電子決済端末３０Ｃの組み合わせ…の各々の組み合わせが、いわゆる端末装置である。この端末装置について、現金決済のみを行い、電子決済を行わない場合は、ＥＣＲのみの構成であってもよい。
【００１８】
情報センタサーバ１０は、ＥＣＲ２０Ａ、２０Ｂ、２０Ｃ…から送信された売上データを記憶する。また、情報センタサーバ１０は、ＥＣＲ２０Ａ、２０Ｂ、２０Ｃ…からの集計、分析要求に応じて、自機に記憶している売上データを集計、分析して、その集計、分析結果のデータを返信する売上データ管理機能を有する。さらに、情報センタサーバ１０は、電子決済端末３０Ａ、３０Ｂ、３０Ｃ…から送信された決済の承認要求等をカード会社サーバ６０へ送信し、カード会社サーバ６０から送信された承認結果を電子決済端末３０Ａ、３０Ｂ、３０Ｃ…へ送信し、その決済に関する情報を売上データに関連付けて記憶する決済管理機能を有する。
【００１９】
決済センタサーバ５０は、カード会社サーバ６０と情報センタサーバ１０との間の決済に関する情報の通信を管理する。カード会社サーバ６０は、各カード会社に所属するサーバ装置である。図１では、カード会社サーバ６０を１台でまとめて表現したが、実際は、複数のカード会社それぞれに設けられている。
【００２０】
決済センタサーバ５０は、情報センタサーバ１０から電子決済端末３０Ａ、３０Ｂ、３０Ｃ…の決済データ及び承認要求を受信し、この決済データ及び承認要求を、対応するカード会社のカード会社サーバ６０に送信する。カード会社サーバ６０は、決済センタサーバ５０から電子決済端末３０Ａ、３０Ｂ、３０Ｃ…の決済データ及び承認要求を受信し、当該決済データ及び承認要求に応じて承認の可否を判別し、その結果に承認番号を付与して承認結果を生成して決済センタサーバ５０に送信する。決済センタサーバ５０は、カード会社サーバ６０から承認結果を受信して情報センタサーバ１０に送信する。
【００２１】
通信ネットワークＮは、例えば、ＷＡＮ（Wide  Area  Network）やインターネット等の通信ネットワークにより構成されているが、ＬＡＮ（Local  Area  Network）等を含めてもよく、電話回線、専用線、移動体通信網、通信衛星網、ＣＡＴＶ（Cable  Television）回線、インターネットプロバイダ等を含めてもよい。
【００２２】
次いで、情報センタサーバ１０の構成を説明する。図２に示すように、情報センタサーバ１０は、ＣＰＵ１１（Central  Processing  Unit）、入力部１２、ＲＡＭ１３（Random  Access  Memory）、表示部１４、記憶部１５、通信部１６、計時部１７を備えて構成され、各部がバス１８を介して接続される。
【００２３】
ＣＰＵ１１は、情報センタサーバ１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。具体的には、ＣＰＵ１１は、前述したプログラムとの協働により、後述する情報センタサーバ１０側の処理を実行する（検索手段）。
【００２４】
入力部１２は、カーソルキー、文字、数字入力キー及び各種機能キーなどを備えたキーボード、マウスなどのポインティングデバイスを含む構成である。入力部１２は、操作者による各キーの押下やポインティングデバイスの操作による操作信号をＣＰＵ１１に出力する。
【００２５】
ＲＡＭ１３は、揮発性のメモリである。また、ＲＡＭ１３は、実行される各種プログラムやこれら各種プログラムに係るデータ等を格納するワークエリアを有する。
【００２６】
表示部１４は、ＬＣＤ（Liquid  Crystal  Display）、ＣＲＴ（Cathode  Ray  Tube）等で構成され、ＣＰＵ１１からの表示制御信号に従った画面表示を行う。
【００２７】
記憶手段としての記憶部１５は、磁気記憶媒体を有するＨＤＤ（Hard  Disk  Drive）等により構成され、各種プログラム及び各種データを記憶媒体から読み出し及び書き込み可能に記憶する。具体的には、記憶部１５は、後述するファイルデータや電子決済端末３０Ａ、３０Ｂ、３０Ｃ…とのデータ通信に使用する鍵データを記憶する。この鍵データは、共通鍵方式、公開鍵方式などにより、データの暗号化／復号化を行うデータである。
【００２８】
通信部１６は、モデム、ＴＡ（Terminal  Adapter）、ルータ、ネットワークカード等により構成される。通信部１６は、接続される通信ネットワークＮ上のＥＣＲ２０Ａ、２０Ｂ、２０Ｃ…等の外部機器、決済センタサーバ５０と情報を送受信する（受信手段、送信手段）。計時部１７は、計時回路を内蔵し、現在時刻及び現在日時を計時して出力する。
【００２９】
次いで、ＥＣＲ（Electronic Cash Resister：電子式金銭登録機）２０Ａ、２０Ｂ、２０Ｃ…の構成を説明する。ここでは、ＥＣＲ２０Ａを代表して説明するが、ＥＣＲ２０Ｂ、２０Ｃ…も同様である。
【００３０】
図３に示すように、ＥＣＲ２０Ａは、ＣＰＵ２１、入力部２２、ＲＡＭ２３、表示部２４、記憶部２５、通信部２６、接続部２７、ドロア２８、プリント部２９ａ、計時部２９ｂを備えて構成され、各部がバス２９ｃを介して接続される。
【００３１】
ＣＰＵ２１、ＲＡＭ２３、通信部２６については、それぞれ、情報センタサーバ１０のＣＰＵ１１、ＲＡＭ１３、通信部１６の構成と同様であり、異なる部分を主として説明する。
【００３２】
ＣＰＵ２１は、記憶部２５に記憶されたＥＣＲプログラムとの協働で、売上データ処理を行い、電子決済を行う場合に、電子決済端末３０Ａから受信した暗号化決済データを情報センタサーバ１０へ送信し、情報センタサーバ１０から受信した承認結果を電子決済端末３０Ａへ送信し、暗号化決済データ及び売上データを記憶部２５に記憶する。また、ＣＰＵ２１は、ＥＣＲプログラムとの協働で、現金等決済を行う場合に、売上データを記憶部２５に記憶する。また、ＣＰＵ２１は、ＥＣＲプログラムとの協働で、売上データを情報センタサーバ１０へ送信する。この売上データの送信により、情報センタサーバ１０側でＥＣＲ２０Ａの売り上げを管理することができる。
【００３３】
また、ＣＰＵ２１は、ＥＣＲプログラムとの協働で、情報センタサーバ１０から送信された商品情報、端末装置の操作ガイド情報、メッセージ情報などを受け付け、当該受け付けられた情報に基づいた各種店舗支援機能を実現する。具体的には、情報センタサーバ１０から送信された商品情報を受け付けて記憶部２５に記憶される商品情報を更新し、ＥＣＲ２０Ａで取り扱う商品の金額などの設定変更を行う。また、情報センタサーバ１０から送信された操作ガイド情報を受け付けて表示部２４に操作ガイド画面を表示する。また、情報センタサーバ１０から送信されたメッセージ情報を受け付けて表示部２４によるメッセージの画面表示やプリント部２９ａによるメッセージの印刷を行う。
【００３４】
なお、ＣＰＵ２１がＥＣＲプログラムとの協働により実現する電子決済端末３０Ａを用いた電子決済、売上データの送信による情報センタサーバ１０側での売上管理、情報センタサーバ１０から送信された情報による各種店舗支援機能など、ＥＣＲ２０Ａにおける各機能の実行の有無は、後述する記憶部２５に記憶された設定ファイルに基づいて行われる（制御手段）。
【００３５】
指示手段としての入力部２２は、カーソルキー、文字、数字入力キー及び各種機能キーなどを備えたレジ用のキーボードを含む構成である。入力部２２は、操作者により各キーが押下された操作信号をＣＰＵ２１に出力する。表示部２４は、ＬＣＤ等による表示画面を備えた構成である。表示部２４は、ＣＰＵ２１からの表示制御信号に従って画面表示を行う。
【００３６】
なお、入力部２２は、表示部２４と一体的にタッチパネルを構成することとしてもよい。また、入力部２２は、商品に設けられたバーコードなどを読み取るバーコードリーダやスキャナ等を備えることとしてもよい。
【００３７】
記憶部２５は、ＲＯＭやフラッシュメモリ等により構成される。記憶部２５は、各種プログラム及び後述する各種データを、ＲＯＭから読み出し可能に、フラッシュメモリから読み出し及び書き込み可能に記憶する。なお、記憶部２５は、ＨＤＤ等であってもよい。
【００３８】
通信部２６は、通信ネットワークＮ上の情報センタサーバ１０等の外部機器と通信を行う。接続部２７は、電子決済端末３０Ａと有線又は無線で通信接続され、情報を送受信する。なお、ＥＣＲ２０Ｂの接続部は電子決済端末３０Ｂと接続され、ＥＣＲ２０Ｃの接続部は、電子決済端末３０Ｃと接続される。
【００３９】
ドロア２８は、硬貨や紙幣等の現金を収納する引出しである。ドロア２８は、例えば、ＣＰＵ２１からの信号により解放される。
【００４０】
プリント部２９ａは、例えばサーマルプリンタであり、レシート用、ジャーナル用のロール紙を有し、ＣＰＵ２１から入力される指示に従って、各ロール紙に対して金額等のデータをプリントアウトする。計時部２９ｂは、計時回路を内蔵し、現在時刻及び現在日時を計時して出力する。
【００４１】
次いで、電子決済端末３０Ａ、３０Ｂ、３０Ｃ…の構成を説明する。ここでは、電子決済端末３０Ａを代表して説明するが、電子決済端末３０Ｂ、３０Ｃ…も同様である。
【００４２】
図４に示すように、電子決済端末３０Ａは、ＣＰＵ３１、入力部３２、ＲＡＭ３３、表示部３４、記憶部３５、接続部３６、カードリーダ３７を備えて構成され、各部がバス３８を介して接続される。
【００４３】
ＣＰＵ３１は、記憶部３５に記憶された電子決済端末プログラムとの協働で、電子決済時に、カード情報を読み取り、決済データを暗号化し、暗号化決済データをＥＣＲ２０Ａに送信し、承認結果をＥＣＲ２０Ａから受信し、承認結果とともに暗号化決済データを記憶部３５に記憶する。具体的には、ＣＰＵ３１は、上述したプログラムとの協働により、クレジットカード４０ａなどのＩＣカードや磁気カードからカード情報を読み取って電子決済を行うＭＳ決済や、携帯電話機４０ｂなどからＩＤ情報を読み取って電子決済を行うＩＤ決済などを行う。
【００４４】
入力部３２は、数字入力キー及び各種機能キーなどを備えたキーパッドを含む構成である。入力部３２は、操作者により各キーが押下された操作信号をＣＰＵ３１に出力する。表示部３４は、ＬＣＤ等による表示画面を備えた構成である。表示部３４は、ＣＰＵ３１からの表示制御信号に従って画面表示を行う。なお、入力部３２は、表示部３４と一体的にタッチパネルを構成することとしてもよい。
【００４５】
記憶部３５は、自装置を識別するための決済端末コード、電子決済端末プログラム、情報センタサーバ１０と対の鍵データを記憶する。
【００４６】
接続部３６は、有線又は無線でＥＣＲ２０Ａと通信接続され、情報を送受信する。なお、電子決済端末３０Ｂの接続部はＥＣＲ２０Ｂと接続され、電子決済端末３０Ｃの接続部はＥＣＲ２０Ｃと接続される。
【００４７】
カードリーダ３７は、ＣＰＵ、ＲＡＭ、ＲＯＭ、フラッシュメモリ、情報読取部等を備える（いずれも図示しない）。カードリーダ３７において、ＲＯＭから読み出され、ＲＡＭに展開されたプログラムとＣＰＵとの協働で各種処理を実行する。また、情報読取部は、接触式又は非接触式で接続されたクレジットカード４０ａ又は携帯電話機４０ｂの情報を読み取る。
【００４８】
次に、記憶部１５に記憶されるファイルデータについて説明する。図５に示すように、記憶部１５には、認証設定ファイル１５１、店舗設定マスタファイル１５２が予め記憶される。
【００４９】
認証設定ファイル１５１は、通信ネットワークＮを介して情報センタサーバ１０と通信接続する端末装置の各々をパスワードなどで認証する認証情報を記憶するファイルデータである。具体的には、図６に示すように、ＥＣＲ２０Ａ、２０Ｂ、２０Ｃ…の各々を示すＥＣＲコードと、電子決済端末３０Ａ、３０Ｂ、３０Ｃ…の各々を示す決済端末コードと、それらのコードで識別される端末の開設パスワードと、が記憶される。
【００５０】
例えば、ＥＣＲ２０Ａとそれに接続する電子決済端末３０Ａについては、ＥＣＲコード「ＥＣＲ１２３４−５６７８」、決済端末コード「ＡＢＣＤＥＦＧＨ」、開設パスワード「１２３４５６７８」が記憶されている。このため、情報センタサーバ１０は、通信ネットワークＮを介してＥＣＲ２０Ａ、電子決済端末３０Ａが接続した際に、ＥＣＲコード、決済端末コードとともに接続元から送信されるパスワードが「１２３４５６７８」であるか否かを判定することで、接続元が正規のＥＣＲ２０Ａ、電子決済端末３０Ａであるか否かの認証を行うことができる。
【００５１】
店舗設定マスタファイル１５２は、通信ネットワークＮを介して情報センタサーバ１０と通信接続する端末装置の各々の機能設定に係る設定情報を記憶するファイルデータである。具体的には、図７に示すように、端末装置を示すＥＣＲコード及び決済端末コードごとに、端末管理ポート接続プロパティ、電子決済ポート接続プロパティ、電子決済ＭＳ決済機能プロパティ、電子決済ＩＤ決済機能プロパティ、電子決済レポート機能プロパティ、店舗支援ポート接続プロパティ、店舗支援レジ設定機能プロパティ、店舗支援商品情報機能プロパティ、店舗支援操作ガイド機能プロパティ、店舗支援メッセージ機能プロパティなどが記憶されている。
【００５２】
端末管理ポート接続プロパティは、情報センタサーバ１０などの外部機器との間で売上データの送受信を行うための通信ポート接続の可否を設定する。端末装置は、この端末管理ポート接続プロパティにより接続を許可された場合、売上データを送信して情報センタサーバ１０側での売上管理を行うことができる。
【００５３】
電子決済ポート接続プロパティは、情報センタサーバ１０や決済センタサーバ５０などとの間で電子決済に係るデータ通信を行うための通信ポート接続の可否を設定する。端末装置は、この電子決済ポート接続プロパティにより接続を許可された場合、前述した決済センタサーバ５０による電子決済を行うことができる。
【００５４】
電子決済ＭＳ決済機能プロパティは、磁気ストライプを有する磁気カードを用いた電子決済の可否を設定する。端末装置は、この電子決済ＭＳ決済機能プロパティにより磁気カードによる電子決済を許可された場合、磁気カードを電子決済端末で読み取る電子決済を実施できる。
【００５５】
電子決済ＩＤ決済機能プロパティは、携帯電話機などからＩＤ情報を読み取って行う電子決済の可否を設定する。端末装置は、この電子決済ＩＤ決済機能プロパティによりＩＤ情報による電子決済を許可された場合、電子決済端末により携帯電話機などから読み取られたＩＤ情報による電子決済を実施できる。
【００５６】
電子決済レポート機能プロパティは、電子決済に係るレポート出力の可否などのレポート機能を設定する。端末装置は、この電子決済レポート機能プロパティによりレポート機能を許可された場合、電子決済に関するレポートの画面表示やプリント出力を実施できる。
【００５７】
店舗支援ポート接続プロパティは、情報センタサーバ１０などとの間で店舗支援に係るデータ通信を行うための通信ポート接続の可否を設定する。端末装置は、この店舗支援ポート接続プロパティにより接続を許可された場合、情報センタサーバ１０から送信された商品情報、操作ガイド情報、メッセージ情報などの店舗支援に係る情報を受け付けることができる。
【００５８】
店舗支援レジ設定機能プロパティは、店舗支援に係るデータ通信による税率設定、演算機能の追加設定などのレジ設定の可否を設定する。端末装置は、この店舗支援レジ設定機能プロパティによりレジ設定を許可された場合、情報センタサーバ１０から送信された税率や演算プログラムデータなどのデータを受け付けてレジ設定を実施できる。
【００５９】
店舗支援商品情報機能プロパティは、店舗支援に係るデータ通信により送信される商品情報を利用した機能の可否を設定する。端末装置は、この店舗支援商品情報機能プロパティにより商品情報を利用した機能が許可された場合、情報センタサーバ１０から送信された商品情報に基づいて記憶部２５に記憶される商品情報を更新して新しい商品に対応するなど、情報センタサーバ１０から送信される商品情報を利用した機能を実施できる。
【００６０】
店舗支援操作ガイド機能プロパティは、店舗支援に係るデータ通信により送信される操作ガイド情報を利用した機能の可否を設定する。端末装置は、この店舗支援操作ガイド機能プロパティにより操作ガイド情報を利用した機能が許可された場合、情報センタサーバ１０から送信された操作ガイド情報に基づいて表示部２４に操作ガイド画面を表示するなど、情報センタサーバ１０から送信された操作ガイド情報を利用した機能を実施できる。
【００６１】
店舗支援メッセージ機能プロパティは、店舗支援に係るデータ通信により送信されるメッセージ情報を利用した機能の可否を設定する。端末装置は、この店舗支援メッセージ機能プロパティによりメッセージ情報を利用した機能が許可された場合、情報センタサーバ１０から送信されるメッセージ情報に基づいて表示部２４によるメッセージの画面表示やプリント部２９ａによるメッセージの印刷など、情報センタサーバ１０から送信されたメッセージ情報を利用した機能を実施できる。
【００６２】
例えば、ＥＣＲ２０Ａとそれに接続する電子決済端末３０Ａについては、端末管理ポート接続プロパティ「接続可」、電子決済ポート接続プロパティ「接続可」、電子決済ＭＳ決済機能プロパティ「利用可」、電子決済ＩＤ決済機能プロパティ「利用可」、電子決済レポート機能プロパティ「不可」、店舗支援ポート接続プロパティ「接続可」、店舗支援レジ設定機能プロパティ「不可」、店舗支援商品情報機能プロパティ「利用可」、店舗支援操作ガイド機能プロパティ「利用可」、店舗支援メッセージ機能プロパティ「不可」が記憶されている。
【００６３】
これにより、ＥＣＲ２０Ａと電子決済端末３０Ａとにより構成される端末装置については、情報センタサーバ１０側での売上管理、決済センタサーバ５０による電子決済、磁気カードによる電子決済、ＩＤ情報による電子決済、店舗支援に係る情報の受付、情報センタサーバ１０から送信される商品情報、操作ガイド情報を利用する機能を実行することができる。なお、電子決済に関するレポートの画面表示やプリント出力、情報センタサーバ１０からのデータ通信によるレジ設定やメッセージ情報の利用は実行することができない。
【００６４】
次に、記憶部２５に記憶されるデータについて説明する。図８に示すように、記憶部２５には、設定ファイル２５１、売上データファイル２５２、ＥＣＲコード２５３、決済端末コード２５４、開設パスワード２５５が記憶される。
【００６５】
設定ファイル２５１は、ＣＰＵ２１がＥＣＲプログラムとの協働により実現する各種機能に係る設定情報を記憶するファイルデータである。例えば、設定ファイル２５１は、各種機能の利用の可否を設定する。具体的には、図９に示すように、設定ファイル２５１は、端末管理ポート接続、電子決済ポート接続、電子決済ＭＳ決済機能、電子決済ＩＤ決済機能、電子決済レポート機能、店舗支援ポート接続、店舗支援レジ設定機能、店舗支援商品情報機能、店舗支援操作ガイド機能、店舗支援メッセージ機能などの機能について、その利用の可否を設定している。なお、この設定ファイル２５１は、後述する処理により、情報センタサーバ１０から送信されたデータ（設定ファイル又は設定データ）に基づいて更新される。
【００６６】
売上データファイル２５２は、売上データを格納するファイルデータである。ＥＣＲコード２５３は、自装置を識別可能に割り当てられたコードデータである。決済端末コード２５４は、ＥＣＲ２０Ａと接続する電子決済端末３０Ａから所得されたコードデータである。開設パスワード２５５は、自装置に対応するパスワードとして操作者により入力部２２から入力されたデータである。
【００６７】
次に、ネットワークシステム１の動作処理について説明する。なお、以下の説明において、ＥＣＲ２０Ａ、２０Ｂ、２０Ｃ…のＣＰＵ２１が制御して行う処理については符号の頭に「Ａ」を付して説明する。また、情報センタサーバ１０のＣＰＵ１１が制御して行う処理については符号の頭に「Ｂ」を付して説明する。また、ＥＣＲ２０Ａ、２０Ｂ、２０Ｃ…と、情報センタサーバ１０と、の装置間において、互いの制御部の制御の下で行われるデータ通信については符号の頭に「Ｃ」を付して説明する。
【００６８】
先ず、ネットワークシステム１における処理の概要を説明する。図１０に示すように、ネットワークシステム１では、ＥＣＲ２０Ａ、２０Ｂ、２０Ｃ…及び情報センタサーバ１０の間で通信接続が開始される（ステップＣ１）。次いで、ＥＣＲ２０Ａ、２０Ｂ、２０Ｃ…から情報センタサーバ１０へＥＣＲコード、決済端末コード、開設パスワードが送信され、端末装置の認証要求が行われる（ステップＣ２）。
【００６９】
次いで、ネットワークシステム１では、ＥＣＲ２０Ａ、２０Ｂ、２０Ｃ…から情報センタサーバ１０へ送信されたデータに基づいた認証が情報センタサーバ１０で行われ、情報センタサーバ１０から送信元へ通信接続の可否を示す端末装置の認証応答が送信される（ステップＣ３）。この認証応答では、正規の送信元として認証された場合、接続可が応答される。なお、正規の送信元でないと判定された場合は、接続不可が応答されて直ちに接続が終了される。
【００７０】
正規の送信元として認証された場合、ネットワークシステム１では、ＥＣＲ２０Ａ、２０Ｂ、２０Ｃ…から情報センタサーバ１０へ設定ファイルが要求され（ステップＣ４）、情報センタサーバ１０から送信元へ要求された設定ファイルの応答が行われて（ステップＣ５）、通信接続が終了される（ステップＣ６）。
【００７１】
次に、端末装置であるＥＣＲ２０Ａ、２０Ｂ、２０Ｃ…において、ＣＰＵ２１の制御の下で行われる処理を詳細に説明する。図１１に示すように、処理が開始されると、サーバ装置である情報センタサーバ１０への通信接続が行われ（ステップＡ１１）、記憶部２５に記憶された認証用データ（ＥＣＲコード２５３、決済端末コード２５４、開設パスワード２５５）の読み出しが行われる（ステップＡ１２）。次いで、読み出された認証用データが情報センタサーバ１０へ送信され（ステップＡ１３）、情報センタサーバ１０からの認証応答データが受信される（ステップＡ１４）。
【００７２】
次いで、情報センタサーバ１０からの認証応答データが接続可であるか否かが判定される（ステップＡ１５）。この判定において、接続不可であると判定された場合、すなわち、情報センタサーバ１０において正規の送信元でないと判定された場合は、表示部２４に情報センタサーバ１０による認証が失敗したことを示す画面表示を行い、情報センタサーバ１０との通信を切断するなどのエラー処理が行われて（ステップＡ１６）、終了する。
【００７３】
ステップＡ１５において、接続可であると判定された場合、すなわち、情報センタサーバ１０において正規の送信元であると認証された場合は、情報センタサーバ１０へ設定ファイルが要求され（ステップＡ１７）、その要求により情報センタサーバ１０から送信される設定ファイルが受信される（ステップＡ１８）。次いで、受信した設定ファイルが記憶部２５に格納され（ステップＡ１９）、情報センタサーバ１０との通信が切断されて（ステップＡ２０）、その記憶部２５に格納された設定ファイルに基づいた処理が行われる（ステップＡ２１）。すなわち、ＥＣＲでは、情報センタサーバ１０で認証された場合に当該情報センタサーバ１０から送信される設定ファイルに基づいて、自装置における動作を制御する。
【００７４】
次に、ＣＰＵ１１の制御の下で行われる情報センタサーバ１０の処理を詳細に説明する。図１２に示すように、処理が開始されると、ＥＣＲ２０Ａ、２０Ｂ、２０Ｃ…などの端末装置からの通信接続が受け付けられ（ステップＢ１１）、端末装置の認証用データ（ＥＣＲコード、決済端末コード、開設パスワード）が受信される（ステップＢ１２）。
【００７５】
次いで、受信された認証用データと認証設定ファイル１５１との照合が行われる（ステップＢ１３）。具体的には、受信された認証用データに含まれるＥＣＲコード、決済端末コードに基づいて識別される端末の開設パスワードが認証設定ファイル１５１から取得される。次いで、その取得された開設パスワードと受信された認証用データに含まれる開設パスワードとが照合される。
【００７６】
次いで、照合結果に基づいた認証応答データ（接続可／接続不可）が生成されて（ステップＢ１４）、その生成された認証応答データが送信元へ送信される（ステップＢ１５）。例えば、前述した開設パスワードの照合結果が一致する場合は、正規の送信元として接続を許可する認証応答データ（接続可）が送信される。また、開設パスワードの照合結果が一致しない場合は、接続を許可しない認証応答データ（接続不可）が送信される。
【００７７】
次いで、ステップＢ１５において送信された認証応答データが接続可であるか否かが判定される（ステップＢ１６）。この判定において、接続不可である場合は、端末装置からの通信接続が切断され（ステップＢ２１）、当該端末装置から送信されてＲＡＭ１３などに一時的に格納された保持情報が削除されて（ステップＢ２２）、終了する。
【００７８】
ステップＢ１６において、接続可であると判定された場合、すなわち、正規の送信元として認証された場合は、通信接続された端末装置からの設定ファイル要求が受け付けられ（ステップＢ１７）、認証証データに含まれるＥＣＲコード、決済端末コードに基づいて店舗設定マスタファイル１５２から該当端末装置の設定情報が検索されて取得される（ステップＢ１８）。具体的には、店舗設定マスタファイル１５２において、要求元のＥＣＲコード、決済端末コードに該当する各プロパティが検索されて設定情報として取得される。
【００７９】
次いで、取得された設定情報に基づいた設定ファイルが生成され（ステップＢ１９）、その生成された設定ファイルが要求元の端末装置へ送信され（ステップＢ２０）、端末装置との通信接続が切断され（ステップＢ２１）、ＲＡＭ１３に格納された保持情報が削除されて（ステップＢ２２）、終了する。
【００８０】
すなわち、情報センタサーバ１０では、認証設定ファイル１５１に記憶された認証情報に基づいて送信元の認証を行い、正規の送信元として認証された端末装置からの設定ファイル要求に対して、当該端末装置の設定ファイルを送信する。
【００８１】
次に、ＥＣＲ２０Ａ、２０Ｂ、２０Ｃ…において、ＣＰＵ２１の制御の下で行われる設定ファイルに基づいた処理（ステップＡ２１）の詳細について説明する。図１３に示すように、処理が開始されると、入力部２２において操作キーが押下されるまで待機される（ステップＡ２１１）。
【００８２】
次いで、操作キーが押下されることで、記憶部２５に記憶された設定ファイル２５１が参照され（ステップＡ２１２）、押下された操作キーに対応する機能の設定が取得される（ステップＡ２１３）。例えば、情報センタサーバ１０側に売上データを送信するための操作キーが押下された場合は、設定ファイル２５１の端末管理ポート接続が参照されてその設定が取得される。同様に、決済センタサーバ５０による電子決済、磁気カードによる電子決済、ＩＤ情報による電子決済、店舗支援に係る各種機能など、いずれかの機能を実行するための操作キーが押下された場合は、その機能に対応する設定が設定ファイル２５１から取得される。
【００８３】
次いで、ステップＡ２１３により取得された設定に基づいて機能の利用の可否（通信ポートの場合は接続の可否）が判定される（ステップＡ２１４）。この判定において、利用不可／接続不可であると判定された場合は、押下された操作キーに係る機能が利用できないことを表示部２４に画面表示するエラー表示が行われて（ステップＡ２１５）終了する。また、利用可／接続可であると判定された場合は、押下された操作キーに係る機能が実行されて（ステップＡ２１６）終了する。
【００８４】
具体的には、情報センタサーバ１０側に売上データを送信するための操作キーが押下され、当該機能の利用が許可されている場合は、記憶部２５から売上データファイル２５２が読み出されて情報センタサーバ１０へ送信される。これにより、各店舗の売り上げ管理を情報センタサーバ１０側で行うことができる。また、電子決済ＭＳ決済機能に係る操作キーが押下され、当該機能の利用が許可されている場合は、クレジットカードを電子決済端末で読み取って暗号化決済データを送信する電子決済（ＭＳ決済）を行うことができる。
【００８５】
また、電子決済ＩＤ決済機能に係る操作キーが押下され、当該機能の利用が許可されている場合は、携帯電話機を電子決済端末で読み取って暗号化決済データを送信する電子決済（ＩＤ決済）を行うことができる。また、電子決済レポート機能に係る操作キーが押下され、当該機能の利用が許可されている場合は、電子決済に関するレポートの画面表示やプリント出力を行うことができる。
【００８６】
また、店舗支援レジ設定機能に係る操作キーが押下され、当該機能の利用が許可されている場合は、情報センタサーバ１０から送信された税率や演算プログラムデータなどのデータを受け付けてレジ設定を行うことができる。また、店舗支援商品情報機能に係る操作キーが押下され、当該機能の利用が許可されている場合は、情報センタサーバ１０から送信された商品情報に基づいた更新処理などの機能を実行することができる。
【００８７】
また、店舗支援操作ガイド機能に係る操作キーが押下され、当該機能の利用が許可されている場合は、情報センタサーバ１０から送信された操作ガイド情報に基づいて表示部２４に操作画面を表示するなどの機能を実行することができる。また、店舗支援メッセージ機能に係る操作キーが押下され、当該機能の利用が許可されている場合は、情報センタサーバ１０から送信されたメッセージ情報を利用した機能を実行することができる。
【００８８】
［変形例］
ここで、ネットワークシステム１の動作処理の変形例について説明する。前述したネットワークシステム１の動作処理は、ＥＣＲ２０Ａ、２０Ｂ、２０Ｃ…などの端末装置からサーバ装置である情報センタサーバ１０へ設定ファイルを要求し、その要求に応じて返信される設定ファイルにより、端末装置側で自装置が有する各種機能の設定を一括して行うものであった。ここで説明する変形例は、端末装置側からサーバ装置へ個別に機能の設定情報を要求し、その要求に応じて返信される設定情報により、端末装置側で自装置が有する各種機能の動作を制御する処理構成である。なお、簡略化のために前述と同様の処理については説明を省略する。
【００８９】
先ず、処理の概要を説明する。図１４に示すように、ネットワークシステム１では、前述したステップＣ１〜Ｃ３が行われて、端末装置が認証される。次いで、正規の送信元として認証された場合、ネットワークシステム１では、端末装置から情報センタサーバ１０へいずれかの機能に関する設定データが要求され（ステップＣ４ａ）、情報センタサーバ１０から送信元へ要求された設定データの応答が行われて（ステップＣ５ａ）、通信接続が終了される（ステップＣ６）。
【００９０】
次に、上述した変形例において、端末装置であるＥＣＲ２０Ａ、２０Ｂ、２０Ｃ…で行われる処理を詳細に説明する。図１５に示すように、処理が開始されると、前述したステップＡ１１〜Ａ１４と同様の処理が行われ（ステップＡ３１〜Ａ３４）、情報センタサーバ１０からの認証応答データが受信される。
【００９１】
次いで、ステップＡ１５と同様に認容応答データの判定が行われ（ステップＡ３５）、この判定において、接続不可であると判定された場合はステップＡ１６と同様のエラー処理が行われて（ステップＡ３６）、終了する。
【００９２】
ステップＡ３５において、接続可であると判定された場合は、入力部２２において操作キーが押下されるまで待機される（ステップＡ３７）。次いで、操作キーが押下されることで、この押下された操作キーに対応する機能の設定データが情報センタサーバ１０に要求される（ステップＡ３８）。例えば、情報センタサーバ１０側に売上データを送信するための操作キーが押下された場合は、端末管理ポート接続の設定が情報センタサーバ１０に要求される。同様に、決済センタサーバ５０による電子決済、磁気カードによる電子決済、ＩＤ情報による電子決済、店舗支援に係る各種機能など、いずれかの機能を実行するための操作キーが押下された場合は、その機能に対応する設定が情報センタサーバ１０に要求される。
【００９３】
次いで、ステップＡ３８の要求により情報センタサーバ１０から送信される設定データが受信され（ステップＡ３９）、その受信された設定データに基づいて機能の利用の可否（通信ポートの場合は接続の可否）が前述したステップＡ２１４と同様に判定される（ステップＡ４０）。この判定において、利用不可／接続不可であると判定された場合は、前述したステップＡ２１５と同様のエラー表示が行われる（ステップＡ４１）。また、利用可／接続可であると判定された場合は、前述したステップＡ２１６と同様、押下された操作キーに係る機能が実行される（ステップＡ４２）。
【００９４】
次いで、入力部２２の操作キー等の終了指示による処理の終了の有無が判定される（ステップＡ４３）。この判定において、処理を終了しないと判定された場合は、ステップＡ３７に戻り、次の操作キーの押下を受け付ける。また、処理を終了すると判定された場合は、情報センタサーバ１０との通信が切断されて（ステップＡ４４）、終了する。
【００９５】
次に、上述した変形例において、サーバ装置である情報センタサーバ１０で行われる処理を詳細に説明する。図１６に示すように、処理が開始されると、前述したステップＢ１１〜Ｂ１５と同様の処理が行われ（ステップＢ３１〜Ｂ３５）、認証応答データが送信元へ送信される。
【００９６】
次いで、前述したステップＢ１６と同様に送信された認証応答データが判定される（ステップＢ３６）。この判定において、接続不可である場合は、前述したステップＢ２１、Ｂ２２と同様に端末装置との通信接続が切断され（ステップＢ４２）、保持情報が削除されて（ステップＢ４３）、終了する。
【００９７】
ステップＢ３６において、接続可であると判定された場合は、通信接続された端末装置からの設定要求が受け付けられ（ステップＢ３７）、前述したステップＢ１８と同様、認証証データに含まれるＥＣＲコード、決済端末コードに基づいて店舗設定マスタファイル１５２から該当端末装置の設定情報が検索されて取得される（ステップＢ３８）。
【００９８】
次いで、取得された設定情報に基づいて要求があった設定に関する設定データが生成されて（ステップＢ３９）、その生成された設定データが要求元の端末装置へ送信される（ステップＢ４０）。具体的には、店舗設定マスタファイル１５２において、要求元のＥＣＲコード、決済端末コードに該当する各プロパティから要求された設定が取得されて、設定データが生成される。例えば、端末管理ポート接続の設定が要求された場合は、端末管理ポート接続プロパティの設定が取得されて、設定データが生成される。なお、他の機能の設定が要求された場合についても同様に、要求されたプロパティの設定が取得されて設定データが生成される。
【００９９】
次いで、端末装置からの通信切断の有無が判定される（ステップＢ４１）。この判定において、通信切断が行われない（ＮＯ）と判定された場合は、ステップＢ３７に戻り、次の設定要求が受け付けられる。また、通信切断が行われる（ＹＥＳ）と判定された場合は、端末装置との通信接続が切断され（ステップＢ４２）、保持情報が削除されて（ステップＢ４３）、終了する。
【０１００】
以上のように、ネットワークシステム１は、サーバ装置（情報センタサーバ１０）と各店舗に設置された端末装置（例えばＥＣＲ２０Ａ及び電子決済端末３０Ａ）とが互いに通信可能に接続されている。端末装置は、ＣＰＵとプログラムとの協働による制御の下、自装置が有する機能に係る設定情報の配信要求をサーバ装置に送信し、サーバ装置が送信する設定情報を受信して、この受信された設定情報に基づいて自装置が有する機能の動作を制御する。サーバ装置は、ＣＰＵとプログラムとの協働による制御の下、端末装置毎の設定情報（店舗設定マスタファイル１５２）を記憶しており、端末装置から送信された設定情報の配信要求を受信し、記憶された端末装置毎の設定情報から送信元の端末装置の設定情報を検索し、この検索された設定情報を送信元の端末装置に送信する。
【０１０１】
このため、ネットワークシステム１は、各店舗の端末装置の各々のアプリケーションプログラムを変更することなく、サーバ装置で一括して設定することができるため、各店舗に設置された端末装置の仕様の変更や多種多様な取引への対応を低コストで行うことができる。
【０１０２】
また、端末装置は、受信された設定情報に基づいて、決済に関する決済データのサーバ装置との送受信を制御（例えば、電気決済ポート接続、電子決済ＭＳ決済機能、電子決済ＩＤ決済機能などの制御）する構成である。このため、ネットワークシステム１は、サーバ装置と各店舗の端末装置との間における決済データの送受信による電子決済について、サーバ装置で一括して各端末装置の設定を行うことができる。
【０１０３】
また、端末装置は、送受信された設定情報に基づいて、売上に関する売上データのサーバ装置との送受信を制御（例えば端末管理ポート接続などの制御）する構成である。このため、ネットワークシステム１は、サーバ装置と各店舗の端末装置との間における売上データの送受信による売上管理について、サーバ装置で一括して各端末装置の設定を行うことができる。
【０１０４】
また、端末装置は、設定情報の配信要求を送信する際に、自装置の認証に係る認証情報（ＥＣＲコード、決済端末コード、開設パスワード）をサーバ装置に送信する。サーバ装置は、端末装置毎の認証情報（認証設定ファイル１５１）を予め記憶しており、端末装置から送信された認証情報を受信し、予め記憶された送信元の端末装置の認証情報を検索し、この検索された認証情報と受信された認証情報との照合結果に基づいて配信要求があった設定情報を送信元の端末装置に送信する。このため、ネットワークシステム１は、端末装置からサーバ装置に設定情報を配信する際に、当該端末装置の正当性を検証することができ、不正な端末装置への設定情報の配信を防止することができる。
【０１０５】
また、端末装置は、自装置のいずれかの機能の動作指示を行う指示手段（入力部２２）を更に備え、この指示手段により動作指示された機能に係る設定情報の配信要求をサーバ装置に送信し、この配信要求に応じて受信された設定情報に基づいて、動作指示された機能の動作を制御する。このため、ネットワークシステム１は、サーバ装置から送信された設定情報による端末装置の各種機能の設定を一括して行うのではなく、端末装置で動作指示された機能について、その都度サーバ装置に設定を確認して動作制御することができ、サーバ装置での設定情報をよりリアルタイムに端末装置側に反映させることができる。
【０１０６】
なお、上述した実施の形態における記述は、一例を示すものであり、これに限定するものではない。上述した実施の形態における構成及び動作に関しては、適宜変更が可能である。
【図面の簡単な説明】
【０１０７】
【図１】本発明に係る実施の形態のネットワークシステムの構成を示すブロック図である。
【図２】情報センタサーバの内部構成を示すブロック図である。
【図３】ＥＣＲの内部構成を示すブロック図である。
【図４】電子決済端末の内部構成を示すブロック図である。
【図５】情報センタサーバの記憶部に格納されるデータを示す概念図である。
【図６】認証設定ファイルの内容を例示する概念図である。
【図７】店舗設定マスタファイルの内容を例示する概念図である。
【図８】ＥＣＲの記憶部に格納されるデータを示す概念図である。
【図９】設定ファイルの内容を例示する概念図である。
【図１０】ネットワークシステムの処理を示すラダーチャートである。
【図１１】ＥＣＲで実行される処理を示すフローチャートである。
【図１２】情報センタサーバで実行される処理を示すフローチャートである。
【図１３】ＥＣＲで実行される設定ファイルに基づいた処理を示すフローチャートである。
【図１４】ネットワークシステムの処理の変形例を示すラダーチャートである。
【図１５】変形例においてＥＣＲで実行される処理を示すフローチャートである。
【図１６】変形例において情報センタサーバで実行される処理を示すフローチャートである。
【符号の説明】
【０１０８】
１  ネットワークシステム
Ｎ  通信ネットワーク
１０  情報センタサーバ
２０Ａ、２０Ｂ、２０Ｃ…  ＥＣＲ
３０Ａ、３０Ｂ、３０Ｃ…  電子決済端末
５０  決済センタサーバ
６０  カード会社サーバ
１５１  認証設定ファイル
１５２  店舗設定マスタファイル
２５１  設定ファイル
２５２  売上データファイル
２５３  ＥＣＲコード
２５４  決済端末コード
２５５  開設パスワード
【図１】
2009059068.tif 000003
【図２】
2009059068.tif 000004
【図３】
2009059068.tif 000005
【図４】
2009059068.tif 000006
【図５】
2009059068.tif 000007
【図６】
2009059068.tif 000008
【図７】
2009059068.tif 000009
【図８】
2009059068.tif 000010
【図９】
2009059068.tif 000011
【図１０】
2009059068.tif 000012
【図１１】
2009059068.tif 000013
【図１２】
2009059068.tif 000014
【図１３】
2009059068.tif 000015
【図１４】
2009059068.tif 000016
【図１５】
2009059068.tif 000017
【図１６】
2009059068.tif 000018